(57)【要約】      （修正有）【課題】天板と側板を畦の形状に合わせて敷設して、雑草の繁殖が防止できると共に、風化による崩れや、ザリガニやモグラの侵入を阻止して畦を保護して水漏れを防止し、軽量で保管や運搬、敷設作業も容易な畦保護カバーを提供する。【解決手段】帯板状のプラスチック板で、水田１７の畦１４の道１５に敷設する天板２と、畦側面１６に敷設する側板３を形成し、天板２の長手方向に沿った側部に間隔をおいて複数の突起部６を設け、側板３の長手方向に沿った側部に間隔をおいて前記突起部６と着脱自在に係合する複数の溝部を設けて、天板２と側板３とを突起部６と溝部を係合させて一体に連結したものである。【選択図】図１
0003153994.tif 000002
【実用新案登録請求の範囲】
【請求項１】
帯板状のプラスチック板またはゴム板で、水田の畦道に敷設する天板と畦側面に敷設する側板を形成し、天板または側板の長手方向に沿った側部に間隔をおいて複数の突起部を設け、側板または天板の長手方向に沿った側部に間隔をおいて前記突起部と着脱自在に係合する複数の溝部を設けて、天板と側板とを、前記突起部と溝部を係合させて一体に連結したことを特徴とする畦保護カバー。
【請求項２】
天板と側板に、押えピンを挿着する複数個のピン孔を形成したことを特徴とする請求項１記載の畦保護カバー。
【請求項３】
天板と側板が、長手方向に沿って連続した空胴部が幅方向に間隔をおいて形成されたダンボール状のプラスチック板で形成されていることを特徴とする請求項１記載の畦保護カバー。
【考案の詳細な説明】
【技術分野】
【０００１】
本考案は、水田の畦を保護するカバーに関するものである。
【背景技術】
【０００２】
水田の畦は水田を区画して水位を保持すると共に、通路としての役割を備えている。水田の畦は、土で幅が２０〜３０ｃｍの断面台形状に形成されているため雑草が生え、通路として通りにくくなる上、水田の稲の中にまで伸びてくるので、収穫期までに３〜４回の草刈機により除草作業を行なう必要があった。この除草作業は草が最も成長する夏季に行なうので炎天下での作業は重労働であった。
また畦は時間の経過に伴う風化によって崩れ易く、しかもザリガニやモグラが畦に孔を開けて水漏れする問題もあった。このため毎春柔らかい土を上塗りして補修する畦塗り作業が必要である。この畦塗りの作業や畦に生えた雑草を除去する除草作業が相当な重労働であり、高齢者の多い農家にとって大きな負担となっている。
【０００３】
このような問題を解決する手段として、畦に畦シート（防草シート）を敷設することが従来から行われている（特許文献１）。この畦シートはプラスチックやゴムで形成され、畦道と側面に手作業で畦シートを敷設し、畦側面に竹を刺して畦シートを固定している。このように畦シートを手作業で敷設するのは手間が掛かるため、畦シートを自動的に敷設できる畦シート敷設機が開発されている（特許文献２）。この畦シート敷設機は自動的に溝切りを行う溝切り板の対向する二つの側板のうち、他方に所定形状の切欠きを形成することで、溝切りの際に押しのけられた掘り上げた土が前記切欠きを形成した部分で自然に溝切り板の内部に流れ込み、一方の側板と掘り上げた土とで安定的に畦シートを挟み込んだ状態で溝に畦シートを受け渡し、敷設するものである。
【０００４】
しかしながらこの畦シートは薄いプラスチックシートで形成されているため、毎年張り替えなければならず、その手間とコストが掛かる問題がある。
【先行技術文献】
【特許文献】
【０００５】
【特許文献１】特開２０００−２７９０３６
【特許文献２】特開２００７−２３６２５２
【考案の概要】
【考案が解決しようとする課題】
【０００６】
本考案は上記問題を改善し、天板と側板を畦の形状に合わせて敷設して、雑草の繁殖が防止できると共に、風化による崩れや、ザリガニやモグラの侵入を阻止して畦を保護して水漏れを防止し、軽量で保管や運搬、敷設作業も容易な畦保護カバーを提供するものである。
【課題を解決するための手段】
【０００７】
本考案の請求項１記載の畦保護カバーは、帯板状のプラスチック板またはゴム板で、水田の畦道に敷設する天板と畦側面に敷設する側板を形成し、天板または側板の長手方向に沿った側部に間隔をおいて複数の突起部を設け、側板または天板の長手方向に沿った側部に間隔をおいて前記突起部と着脱自在に係合する複数の溝部を設けて、天板と側板とを、前記突起部と溝部を係合させて一体に連結したことを特徴とするものである。
【０００８】
本考案の請求項２記載の畦保護カバーは、請求項１において、天板と側板に、押えピンを挿着する複数個のピン孔を形成したことを特徴とするものである。
【０００９】
本考案の請求項３記載の畦保護カバーは、請求項１において、天板と側板が、長手方向に沿って連続した空胴部が幅方向に間隔をおいて形成されたダンボール状のプラスチック板で形成されていることを特徴とするものである。
【考案の効果】
【００１０】
本考案に係る請求項１記載の畦保護カバーによれば、天板と側板を、溝部と係合させた突起部により回動自在に連結して一体化しているので、場所によって異なる畦側面の傾斜角度に応じてその連結角度を自由に変えることができる。また畦道と側面が耐久性に優れたプラスチック板やゴム板で形成された天板と側板で覆われているので、雑草の繁殖が防止でき、草刈り作業から解放されると共に、風化による崩れを防止し、更にザリガニやモグラの侵入が阻止され、水漏れを防止することができる。
【００１１】
また天板と側板は着脱自在に係合しているので、分離することにより帯板状となり運搬や保管も容易で、敷設作業も容易である。
【００１２】
また請求項２記載の畦保護カバーによれば、天板と側板に、押えピンを挿着する複数個のピン孔を開孔したので、ここに押えピンを打ち込むだけで畦に簡単に固定することができ敷設作業も容易である。
【００１３】
また請求項３記載の畦保護カバーによれば、天板と側板がダンボール状に形成されたプラスチック板で形成されているので軽量で強度が高く、この上を歩いても破れ憎く耐久性に優れている。
【考案を実施するための最良の形態】
【００１４】
以下本考案の実施の一形態を図１ないし図４を参照して詳細に説明する。畦保護カバー１は天板２と側板３から構成されている。この天板２と側板３は図３に示すようにポリプロピレンなどで、長手方向に沿って連続した空胴部が幅方向に間隔をおいて形成されたダンボール状に形成された帯板状のプラスチック板で構成されている。側板３は図２に示すように長手方向に沿った一方の側部に間隔をおいて台形状の溝部５が複数個形成されている。また天板２は、長手方向に沿った一方の側部に間隔をおいて、前記溝部５に係合する台形状の突起部６が複数個形成されている。天板２は例えば、長さが９０ｃｍ、幅が１５ｃｍ程度に形成され、また側板３は例えば、長さが９０ｃｍ、幅が４５ｃｍ程度に形成されている。
【００１５】
更に天板２と側板３の両端側と、中間には所定の間隔で複数個のピン孔７が開孔されている。このピン孔７には押えピン９Ａ、９Ｂを挿着するようになっている。この押えピン９Ａは図４に示すように下部側が尖った円柱部１０の上端にＬ形の押え部１１が形成され、下部側に複数の抜け止め１２が形成されている。また押えピン９Ｂは図５に示すように下部側が尖った２本の円柱部１０の上端が平板状の押え部１１で連結され、円柱部１０の下部側に複数の抜け止め１２が形成されている。
なお畦１４の反対側にも畦保護カバー１を設ける場合も同様である。
【００１６】
上記構成の畦保護カバー１は、図１に示すように、天板２の突起部６を、側板３の溝部５に差し込んで係合させた状態で、畦１４の道１５の片側に天板２を敷設し、側板３を側面１６に敷設する。この後、ピン孔７に図４および図５に示す押えピン９Ａ、９Ｂを打ち込んで、先端を地中に埋設して、上部の押え部１１で天板２と側板３の上面を押える。なお図５に示す押えピン９Ｂは、隣接する天板２、２および側板３、３の継ぎ目部分を押える。
【００１７】
このように天板２の突起部６を側板３の溝部５に差し込んで係合させることにより一体化しているので、場所によって異なる畦１４の側面１６の傾斜角度に応じてその連結角度を自由に変えることができる。また畦１４の道１５の半分と側面１６が天板２と側板３で覆われているので、雑草の繁殖が防止できると共に、側板３により側面１６が保護されているので、風化による崩れを防止できると共に、水田１７からのザリガニの侵入が阻止され、水漏れを防止することができる。更に天板２と側板３は、ダンボール状に厚く形成された帯状のプラスチック板で構成されているので、この上を歩いても破れないので、従来の薄い畦シートのように毎年交換する必要がなく、耐久性に優れている。
【００１８】
また天板２と側板３は着脱自在に係合しているので、分離することにより帯板状となり運搬や保管も容易である。従って、帯板状の軽い天板２と側板３を畦１４に運んで、天板２と側板３を係合させて敷設し、押えピン９Ａ、９Ｂを打ち込むだけで簡単に固定できるので、収穫期までに３〜４回行なっていた草刈機による除草作業が不要となり、高齢者の多い農家にとっては重労働から解放されて極めて有効である。なお畦１４の反対側にも畦保護カバー１を設ける場合も同様である。
【００１９】
図６および図７は本考案の他の実施の形態を示すもので、側板３は図７に示すように長手方向に沿った一方の側部に間隔をおいてＴ字形状の溝部５が複数個形成されている。また天板２は、長手方向に沿った一方の側部に間隔をおいて、前記溝部５に係合するＴ字形の突起部６が複数個形成されている。なお他の構成は図１と同様である。
【００２０】
上記構成の畦保護カバー１は、図６に示すように、天板２のＴ字形状の突起部６が、側板３のＴ字形状の溝部５に係合しているので、天板２が上方に抜けにくく確実に連結することができる。
【００２１】
なお上記説明では溝部５と突起部６を台形状やＴ字形状に形成した場合について説明したが、突起部６を凸部で溝部５を凹部で形成しても良い。この場合、１枚の板を型刃で切断し、溝部５と突起部６を同時に成型して分離すれば良いので製造コストを安くすることができる。また天板２と側板３はゴム板で形成しても良く、また表面に滑り止めを形成しても良い。また押えピン９は他の形状でも良い。
【図面の簡単な説明】
【００２２】
【図１】本考案の実施の一形態による畦保護カバーを敷設した畦の斜視図である。
【図２】図１の畦保護カバーを構成する天板と側板の平面図である。
【図３】天板の側面図である。
【図４】押えピンの正面図である。
【図５】押えピンの正面図である。
【図６】本考案の他の実施の形態による畦保護カバーを敷設した畦の斜視図である。
【図７】図６の畦保護カバーを構成する天板と側板の平面図である。
【符号の説明】
【００２３】
１    畦保護カバー                                          
２    天板                                                  
３    側板                                                  
４    空胴部                                                
５    溝部                                                  
６    突起部                                                
７    ピン孔                                                
９Ａ、９Ｂ  押えピン                                        
１０  円柱部                                                
１１  押え部                                                
１２  抜け止め                                              
１４  畦                                                    
１５  道                                                    
１６  側面    
１７  水田  
【図１】
0003153994.tif 000003
【図２】
0003153994.tif 000004
【図３】
0003153994.tif 000005
【図４】
0003153994.tif 000006
【図５】
0003153994.tif 000007
【図６】
0003153994.tif 000008
【図７】
0003153994.tif 000009